(57)【要約】      （修正有）【課題】簡易な構成で有害獣を警戒心を与えることなく確実に捕獲できるとともに耐久性も向上させることができる有害獣捕獲用檻を提供する。【解決手段】有害獣が内部空間へ入り込める開口広さを有する入口部１１を有するともに当該内部空間に侵入した有害獣の存在を検知するセンサ部１５が設けられた檻本体１０と、センサ部１５が有害獣を検知した場合に自重で待機位置から下降して檻本体１０の入口部１１を遮断可能な遮断扉２０とを備え、当該檻本体１０の入口部１１を除いた側面および当該遮断扉２０がそれぞれ複数の横棒と縦棒とが格子状に組み合わされてなる網目状とされた有害獣捕獲用檻１において、遮断扉２０に、その下半分の網目状部分を内側から被覆するように鉄板３０を張設する構成とした。【選択図】図１
0003142819.tif 000002
【実用新案登録請求の範囲】
【請求項１】
有害獣が内部空間へ入り込める開口広さを有する入口部を有するともに当該内部空間に侵入した有害獣の存在を検知するセンサ部が設けられた檻本体と、前記センサ部が有害獣を検知した場合に自重で待機位置から下降して前記檻本体の入口部を遮断可能な遮断扉とを備え、当該檻本体の入口部を除いた側面および当該遮断扉がそれぞれ複数の横棒と縦棒とが格子状に組み合わされてなる網目状とされた有害獣捕獲用檻において、
前記遮断扉に、その下半分の網目状部分を内側から被覆するように鉄板を張設したことを特徴とする有害獣捕獲用檻。
【考案の詳細な説明】
【技術分野】
【０００１】
本考案は、猪や野猿等の有害獣を捕獲するのに好適な有害獣捕獲用檻に関する。
【背景技術】
【０００２】
最近、猪や野猿等の有害獣が農地や人家近くに出没するようになってきている。これらの有害獣は、農地を荒らしたり、農作物を食い散らかしたり、人に直接怪我を負わせることもある。
【０００３】
そこで、有害獣による損害を減少させるために、捕獲用檻を使って有害獣を捕獲する試みが各地で行われるようになっている。
【０００４】
ここで、従来の捕獲用檻の一例を図７に基づき説明する（例えば特許文献１参照）。
【０００５】
捕獲用檻1Ｐは、図７に示すように、檻本体１０と、当該檻本体１０の前面開口部（入口部１１）を遮断可能な遮断扉２０Ｐとから成っている。
【０００６】
檻本体１０は、全体直方体状で前面（１１）が開口されている。この檻本体１０の前面（１１）を除く各側面は、複数本の横棒１８と縦棒１９とが格子状に組み合わさった網目状とされている。そして、檻本体１０の内部空間には、入り込んだ猪や野猿等の有害獣の存在を検知するセンサ部１５（この例では囮のエサの前方に横に張られたワイヤ１５a）が設けられている。
【０００７】
上記檻本体１０の前面（１１）は、有害獣が中の内部空間へ侵入できるような開口広さを有するものとされている。この檻本体１０の前面（入口部１１）の両端には、上下方向に伸延したガイドレール（１２，１３）が設けられており、当該両ガイドレール（１２，１３）間には遮断扉２０Ｐが上下動可能に支持されている。遮断扉２０Ｐは、ワイヤ２５を介して作動部１６に連結されており、図７に示す位置（待機位置）に支持されている。なお、図７中、２６は、ワイヤ２５をガイドするための滑車である。この作動部１６は、上記センサ部１５に連結されている。上記センサ部１５が有害獣を検知すると作動部１６が作動して、ワイヤ２５を介しての遮断扉２０Ｐの支持を解除する。すると、遮断扉２０Ｐは、その自重で待機位置から下降して檻本体１０の入口部１１を遮断する。これにより、檻本体１０の内部空間へエサに釣られて侵入した有害獣は外へ逃げ出すことができなくなり、当該内部空間に閉じ込められることになる。
【特許文献１】特開２００７−０４９９０４号公報
【考案の開示】
【考案が解決しようとする課題】
【０００８】
ところで、上記檻本体１０内に閉じ込められた有害獣は脱出しようと死に物狂いで暴れまわり、例えば、猪は鼻や牙等を遮断扉２０Ｐの網目の開口部分に突っ込んで上に持ち上げて脱出してしまうことがある。あるいは、逃げられなくても猪の鼻等に不必要な傷を与えてしまい動物保護等の観点から問題がある。
【０００９】
これを防止する方策として、遮断扉２０Ｐを網目状ではなく例えば全体を鉄板で形成することが考えられる。しかし、このように全体を鉄板で形成すると、視界を遮る大きな壁が檻本体１０の前面(入口部１１）近くに出現することになり、有害獣に不必要な警戒心を与えてしまい、檻に近寄らなくなってしまうおそれがある。また、檻本体１０の中で有害獣が暴れると、当該檻の損傷が激しくなり耐久性の点でも問題がある。
【００１０】
本考案の目的は、上記事情に鑑み、簡易な構成で有害獣を警戒心を与えることなく確実に捕獲できるとともに耐久性も向上させることができる有害獣捕獲用檻を提供することにある。
【課題を解決するための手段】
【００１１】
請求項１の考案は、有害獣が内部空間へ入り込める開口広さを有する入口部を有するともに当該内部空間に侵入した有害獣の存在を検知するセンサ部が設けられた檻本体と、前記センサ部が有害獣を検知した場合に自重で待機位置から下降して前記檻本体の入口部を遮断可能な遮断扉とを備え、当該檻本体の入口部を除いた側面および当該遮断扉がそれぞれ複数の横棒と縦棒とが格子状に組み合わされてなる網目状とされた有害獣捕獲用檻において、前記遮断扉に、その下半分の網目状部分を内側から被覆するように鉄板を張設したことを特徴とするものである。
【００１２】
上記請求項１の考案の場合、網目状の遮断扉は全体が鉄板で覆われているのではないので、近寄ってきた有害獣が見ても警戒心を抱くことは少ない。しかも、遮断扉が下降して檻本体の入口部を遮断した場合には、例えば猪の鼻や牙等が届く扉部分（下半分）は鉄板で覆われているので、当該鼻等を引っ掛ける部分はなく持ち上げることができなくなる。これによって、有害獣が脱出することを早期にあきらめるので、当該有害獣を不必要に傷つけたり、また、檻本体が損傷することも少なくなる。
【００１３】
また、鉄板が設けられている分だけ遮断扉の重量は増すので、一段と迅速かつ確実に檻本体の入口部を遮断するとともに、猪等に傷つけられる可能性の高い扉の下半分が補強されるので、この点からも耐久性が増す。
【考案の効果】
【００１４】
請求項１の考案によれば、遮断扉の下半分を鉄板を内側から被覆するという簡易な構成で有害獣に警戒心を与えることなく確実に捕獲できるとともに耐久性を向上させることができる。
【考案を実施するための最良の形態】
【００１５】
以下、本考案の実施の形態を図面に基づき説明する。
【００１６】
本考案に係る有害獣捕獲用檻１は、図１に示すように、檻本体１０と遮断扉２０とから成っており、その基本的構成は従来例と同様であるが、遮断扉２０の下半分の網目状部分を内側から被覆するように鉄板３０を張設したことを特徴とする。
【００１７】
なお、従来例（図７）と同一の構成部品については同一の符号を付し、その説明を簡略化もしくは省略する。
【００１８】
本有害獣捕獲用檻１の特徴部である遮断扉２０は、図２および図３に示すように、一対の横枠部材２１および一対の縦枠部材２２とからなる平面視が長方形状枠とされており、その枠内は複数の横棒２３および複数の縦棒２４とを格子状に組み合わされている。このように遮断扉２０を網目状とするのは、捕獲しようとする猪や野猿等の有害獣に警戒心を与えないためである。
【００１９】
この遮断扉２０の下半分には、図２に示すように、鉄板３０が内側から張設されている。この実施形態では、遮断扉２０の下半分と同一の面積を有する鉄板３０を溶接等により当該遮断扉２０の下半分の内側（当該檻本体の内部空間に面する側）に固定している。
【００２０】
また、この実施形態では、図３に示すように、檻本体１０の前面のガイドレール１２の上方位置にストッパ４０を設けている。
【００２１】
このストッパ４０は、遮断扉２０が下降して檻本体１０の入口部１１を遮断した場合に当該扉２０が上下動しないように係止する手段である。具体的には、ストッパ４０は、図５に示すように、バネ４２によって同図中右方向へ付勢された係止棒４１を有しており、遮断扉２０が図３に示す待機位置Ｐ１に係止されている場合および下降中の場合には当該棒４１は扉２０の縦枠２２の側面に押し付けられており、図４に示すように、当該扉２０が完全に下降し終わった場合には当該扉２０の横枠２１の上面と当接して扉２０の上下動を抑止可能に構成されている。
【００２２】
上記構成の本有害獣捕獲用檻１の場合、網目状の遮断扉２０は全体が鉄板で覆われているのではないので、近寄ってきた有害獣が見ても警戒心を抱くことは少ない。しかも、遮断扉２０が下降して檻本体１０の入口部１１を遮断した場合には、例えば猪の鼻や牙等が届く扉２０部分（下半分）は鉄板３０で覆われているので、当該鼻等を引っ掛ける部分はなく持ち上げることができなくなる。これによって、猪等の有害獣も脱出することを早期にあきらめるので、当該有害獣を不必要に傷付けたり、また、檻本体１０が損傷することも少なくなる。なお、本有害獣捕獲用檻１を再利用する場合には、ストッパ４０の遮断扉２０に対する係止を解除した後、当該扉２０を上に持ち上げて待機位置Ｐ１にセットし、その状態で、当該扉２０と作動部１６および当該作動部１６とセンサ部１５との関係を図１に示す初期状態に戻す。
【００２３】
また、鉄板３０が設けられている分だけ遮断扉２０の重量は増すので、一段と迅速かつ確実に檻本体１０の入口部１１を遮断するとともに、猪等に傷つけられる可能性の高い下半分が補強されるので、この点からも耐久性が増す。したがって、遮断扉２０の下半分を鉄板３０で内側から被覆するという簡易な構成で有害獣を警戒心を与えることなく確実に捕獲できるとともに耐久性も向上させることができる。
【図面の簡単な説明】
【００２４】
【図１】本考案に係る有害獣捕獲用檻の全体構成を示す斜視図である。
【図２】遮断扉の下半分に張設された鉄板を示す斜視図である。
【図３】遮断扉の待機位置を示す図である。
【図４】遮断扉ガ待機位置から下降して檻本体の入口部を遮断した状態を示す図である。
【図５】ストッパの動作を説明するための図（１）である。
【図６】ストッパの動作を説明するための図（２）である。
【図７】従来の有害獣捕獲用檻を説明するための斜視図である。
【符号の説明】
【００２５】
１      有害獣捕獲用檻
１０    檻本体
１１    入口部
１２，１３    ガイドレール
１５    センザ部
１６    作動部
１８    横棒
１９    縦棒
２０    遮断扉
２１    横枠部材
２２    縦枠部材
２３    横棒
２４    縦棒
２５    ワイヤ
３０    鉄板
４０    ストッパ
４１    係止棒
４２    バネ
【図１】
0003142819.tif 000003
【図２】
0003142819.tif 000004
【図３】
0003142819.tif 000005
【図４】
0003142819.tif 000006
【図５】
0003142819.tif 000007
【図６】
0003142819.tif 000008
【図７】
0003142819.tif 000009